(57)【特許請求の範囲】
【請求項１】
断面コの字状に形成されたヨークと、このヨークに内蔵されたコイルと、上記ヨークの開口部に固定されたステータと、上記ヨークの開口部と空隙を介して設けられたアマチュアとからなる電磁伝達装置において、上記ステータは上記ヨークの外側に圧入固定されるとともに、内側は径方向に空隙を介して設けられたことを特徴とする電磁伝達装置。
【請求項２】
ステータの全周数ヶ所にスリットを設けたことを特徴とする請求項１記載の電磁伝達装置。
【請求項３】
断面コの字状に形成されたヨークと、このヨークに内蔵され、内部にコイルが巻回されたボビンと、上記ヨークの開口部に固定されたステータと、上記ヨークの開口部と空隙を介して設けられたアマチュアとからなる電磁伝達装置において、上記ボビンの一部にスペーサを設け、このスペーサが上記ステータとヨークとの間で挟まれるように構成したことを特徴とする電磁伝達装置。
【請求項４】
ステータの全周数ヶ所にスリットを設けるとともに、ボビンの鍔が上記スリットを塞ぐように構成したことを特徴とする請求項３記載の電磁伝達装置。
【請求項５】
ステータにライニングを固定したことを特徴とする請求項１から請求項４のいずれか１項に記載の電磁伝達装置。
【発明の詳細な説明】
【０００１】
【発明の属する技術分野】
この発明は、ＯＡ機器、特に複写機などに使用されるマイクロ電磁制動装置における伝達装置に関するものである。
【０００２】
【従来の技術】
図４は従来から使用されている電磁制動装置における伝達装置であり、図において、２１はコの字状のヨーク、２２は樹脂２３により上記ヨーク２１に内蔵固定されたコイル、２４はこのコイル２２に接続されたリード線、２５は樹脂２３の表面に固定されたライニング、２６はヨーク２１の側面に空隙ｇを介して設けられたアマチュア、２６ａはアマチュア２６の外側、２６ｂは同じく内側であり、それぞれの間には非磁性であるリング２７が設けられ、その厚みはＧでそれぞれの部材は固定され一体化されている。
【０００３】
更に、アマチュア２６はスプリング２８とリベット２９により固定されている。一方、図示しない回転軸と固定されたハブ３０とスプリング２８とはリベット３１に固定されており、アマチュア２６自体はスプリング２８により軸方向に移動するように支持されている。
なお、ヨーク２１の開口部の内外極部２１ａ，２１ｂはアマチュア２６と摺動する摩擦面を形成している。
【０００４】
図５は従来の電磁伝達装置を示す断面図であり、図において、３２はコの字状のヨーク、３３はこのヨーク３２に固定圧入されたボビン、３４はこのボビン３３に巻装されたコイル、３５はステータ、３６は空隙ｇを介して設けられたアマチュアである。
なお、ステータ３５には磁着を遮断するためのスリット３５ａが全周数ヶ所にわたり設けられ、かつヨーク３２とは空隙Ｇを介して数ヶ所ねじ３７で固定されている。
又、ステータ３５の内外極部３５ｂ，３５ｃはアマチュア３６と摺動する摩擦面を形成している。
更に、図４，図５はいずれも制動装置を示すものであり、アマチュア２６，３６は開放状態である場合を示すものである。
【０００５】
次に、以上のように構成された従来装置の動作について説明する。
図示しない電源より、電圧をリード線２４を介してコイル２２，３４に印加すると、点線で示す磁路に磁束Φが発生し、その吸引力によりアマチュア２６，３６は、スプリング２８の弾性力に打ち勝ってステータ２１，３５に吸引される。したがって、アマチュア２６，３６はライニング２５、又はステータ３５の内外極部と摺動して、スプリング２８、ハブ３０を介して図示しない回転軸を停止させる。
コイル２２，３４の電圧を取り去ると、磁束Φは消滅し、アマチュア２６，３６はスプリング２８の弾性力により元の位置に戻り、アマチュア２６，３６とライニング２５、又はステータ３５の間に空隙ｇができ、アマチュア２６，３６は再び回転を始めるものである。
【０００６】
上記のように構成された電磁伝達装置においては、複写機などに使用されるときは、安定した性能を有し、かつ安価に製作する必要があり、さらに応答性は極めて速く動作することが要求されている。すなわち、特に電圧を取り去った時、アマチュア２６，３６は速やかにライニング２５から離れ、元の位置に復帰する必要がある。
この対策として、図４においては、アマチュア２６を２分割し、非磁性材からなるリング２７を設けている。このように、磁気回路の一部に非磁性体部（空隙部）を設けると、磁束Φは速やかに消滅して、アマチュア２６はライニング２５から離間する。
【０００７】
【発明が解決しようとする課題】
従来の電磁伝達装置は以上のように構成されており、図４の装置においては、アマチュア２６の製作には非常にコストが掛かるものであった。すなわち、アマチュア２６ａ，２６ｂ、リング２７はトルクを伝達する必要があるので、機械的強度を強くする必要があり、銅ロー付けなどに頼る製作が必要であった。
また、図５の装置においては、ステータ３５とヨーク３２の間に空隙Ｇを設けるようにしたために、アマチュア３６は２分割する必要はないが、ステータ３５とヨーク３２の固定には、ねじ３７を利用しているので、非常にコスト高となっていた。
【０００８】
さらに、図４の装置においては、樹脂２３にライニング２５を固定しているので、安価に製作できるメリットがあるが、ライニング２５とアマチュア２６が制動する時に摩擦熱が発生する。この摩擦熱はライニング２５自体はもちろん、装置全体の温度を上昇させる。しかしながら、樹脂２３とヨーク２１を構成する鉄材とでは熱膨張率が違い、当然ながら樹脂２３の方が大きい。
【０００９】
そして、アマチュア２６と摺動する内外極部２１ａ，２１ｂとライニング２５は略同一面に構成されているにも拘わらず、使用中に摩擦熱により樹脂２３は膨張して、ライニング２５をヨーク２１の内外極部２１ａ，２１ｂより突出させてしまい、初期のトルク性能が確保できないという問題があった。この対策として摩擦熱を小さく抑えるために、仕様を制限せざるをえず、このために機能が限定されて、使用上問題が発生することがあった。
【００１０】
この発明は上記のような問題点を解決するためになされたもので、安定した機能を有し、かつ安価に製作できる電磁伝達装置を提供することを目的とする。
【００１１】
【課題を解決するための手段】
この発明の請求項１に係る電磁伝達装置は、断面コの字状に形成されたヨークと、このヨークに内蔵されたコイルと、ヨークの開口部に固定されたステータと、ヨークの開口部と空隙を介して設けられたアマチュアとからなるものであって、ステータはヨークの外側に圧入固定されるとともに、内側は径方向に空隙を介して設けられたものである。
【００１２】
この発明の請求項２に係る電磁伝達装置は、ステータの全周数ヶ所にスリットを設けたものである。
【００１３】
この発明の請求項３に係る電磁伝達装置は、断面コの字状に形成されたヨークと、このヨークに内蔵され、内部にコイルが巻回されたボビンと、ヨークの開口部に固定されたステータと、ヨークの開口部と空隙を介して設けられたアマチュアとからなるものであって、ボビンの一部にスペーサを設け、このスペーサがステータとヨークとの間で挟まれるように構成したものである。
【００１４】
この発明の請求項４に係る電磁伝達装置は、ステータの全周数ヶ所にスリットを設けるとともに、ボビンの鍔がスリットを塞ぐように構成したものである。
【００１５】
この発明の請求項５に係る電磁伝達装置は、ステータにライニングを固定したものである。
【００１６】
【発明の実施の形態】
実施の形態１．
以下、この発明の一実施形態を図に基づいて説明する。
図１はこの発明の実施の形態１による電磁伝達装置を示す断面図であり、図において、１はヨーク、２はボビン３に巻装されたコイル、４はステータ、４ａは磁気を遮断するためにステータ４に設けられたスリット、５はステータ４に固定されたライニング、６は磁気回路の一部に空隙Ｈを設けるための非磁性材からなるスペーサである。
【００１７】
又、１ａはヨーク１に設けられた摩擦面を形成する外側極部、４ｂはステータ４に設けられ、同じく摩擦面を形成する内側極部、７はコイル２に接続されたリード線、８はヨーク１の側面に空隙ｇを介して設けられたアマチュアであり、このアマチュア８はスプリング９とリベット１０により固定されている。一方、図示しない回転軸に固定されたハブ１１とスプリング９とはリベット１２により固定されており、アマチュア８自体はスプリング９により軸方向に移動するように支持されている。
【００１８】
以上のように構成されたこの発明の実施の形態１による電磁伝達装置によれば、ステータ４はヨーク１のコの字状の穴に圧入して固定するものである。
すなわち、ステータ４の外周側は、ヨーク１のコの字状の外側の内周に圧入するが、この圧入時、ヨーク１の当たり面には非磁性からなるスペーサ６をあらかじめ組んで圧入すれば、空隙Ｈが確保でき、安価に磁束Φの消滅を早めることができるものである。
【００１９】
なお、図５に示した内外極部を有するステータ３５を、同じようにヨーク３２に圧入する従来技術と比較した場合、図５に示したものでは、ヨーク３２の外周まで摩擦面とすることが出来ないので、トルク性能が確保できにくくなり、場合によってはコイル３４を大きくして、吸引力を大きくする必要があった。
このことは、電磁伝達装置として装置全体が大きくなってしまい、製品としては不利になるものであった。その点からも本発明の効果は絶大なものであることがわかる。
【００２０】
更に、図１に示した構成では、使用条件によってはライニング５がなくても使用出来る場合がある。このときはステータ４、アマチュア８のスリップ時に発生する鉄粉が、スリット４ａからコイル２へ侵入して絶縁劣化を起こす可能性があるが、本発明によれば、スペーサ６により空隙Ｇを設けると同時に、スリット４ａを覆うように製作しているので、鉄粉はここで遮断され、コイル２側へ侵入することはなく、図４に示す従来技術のように樹脂によりコイルを埋める必要もなく、安価に信頼性の高い絶縁が可能となるものである。
【００２１】
以上のように本発明の電磁伝達装置によれば、ヨーク１にステータ４を圧入するようにして、その合わせ面には非磁性材からなるスペーサ６を挟むようにしたので、安価にかつ大量に装置を生産できるものである。
なお、本発明ではブレーキについて説明したが、ヨーク１を回転させればクラッチとしても用いることができる。
さらに、本発明ではＯＡ機器用として説明したが、一般の産業機械にも応用できることは言うまでもない。
【００２２】
実施の形態２．
上記実施の形態１では軸方向に空隙を設けた例を示したが、本実施形態では径方向に空隙を設けるようにしたものである。
図２はこの発明の実施の形態２による電磁伝達装置を示す断面図であり、図２において、１３はヨーク、１４はステータであり、お互いは図２に示すように、外側にて圧入されて内側は径方向に空隙Ｉを設けるように構成されている。１４ａは磁気遮断のためのスリットである。
なお、上記ステータ１４に構成されたスリット１４ａ部分は、ボビン３によって塞がれるように構成している。
【００２３】
本実施形態によれば、径方向に空隙Ｉを設けるようにし、更に摩耗粉が空隙Ｉもしくはスリット１４ａからコイル２側へ侵入することを防ぐようにしたので、実施の形態１の場合と比較して、非磁性のスペーサが廃止でき、更に安価に製作できると同時に、安定した性能を得ることができる。
【００２４】
実施の形態３．
本実施形態においては、ボビン材を利用して非磁性のスペーサを廃止するようしたものである。
図３はこの発明の実施の形態３による電磁伝達装置を示す断面図であり、図において、１５はコイル２を内蔵するボビンで、樹脂材にて製作されている。１５ａはこのボビン１５と一体に構成されたスペーサ、１５ｂはボビン１５の鍔であり、ステータ４のスリット４ａを塞ぐように構成されている。
【００２５】
本実施形態によれば、樹脂で製作されるボビン１５の一部を利用して、スペーサ１５ａを設けるようにしたので、成型にて一体化できるため、部品は省略でき、そのために組立も短縮でき、安価に製作できるものである。更に、スペーサ１５ａをステータ４とヨーク１の間に挟むようにしているので、ボビン１５自体はヨーク１に圧入する必要がなく、組立が短縮できるものである。
更に、ボビン１５の鍔１５ｂを利用してスリット４ａを塞ぐことができるものである。
【００２６】
【発明の効果】
この発明の請求項１に係る電磁伝達装置によれば、断面コの字状に形成されたヨークと、このヨークに内蔵されたコイルと、ヨークの開口部に固定されたステータと、ヨークの開口部と空隙を介して設けられたアマチュアとからなるものであって、ステータはヨークの外側に圧入固定されるとともに、内側は径方向に空隙を介して設けられたので、安価に製作できると同時に安定した性能を得ることができる。
【００２７】
この発明の請求項２に係る電磁伝達装置によれば、ステータの全周数ヶ所にスリットを設けたので、磁気を遮断することができる。
【００２８】
この発明の請求項３に係る電磁伝達装置によれば、断面コの字状に形成されたヨークと、このヨークに内蔵され、内部にコイルが巻回されたボビンと、ヨークの開口部に固定されたステータと、ヨークの開口部と空隙を介して設けられたアマチュアとからなるものであって、ボビンの一部にスペーサを設け、このスペーサがステータとヨークとの間で挟まれるように構成したので、組立を容易に行なうことができる。
【００２９】
この発明の請求項４に係る電磁伝達装置によれば、ステータの全周数ヶ所にスリットを設けるとともに、ボビンの鍔がスリットを塞ぐように構成したので、磁気を遮断できると同時にコイルへ鉄粉が侵入するのを防ぐことができる。
【００３０】
この発明の請求項５に係る電磁伝達装置によれば、ステータにライニングを固定したので、安価に生産することができる。
【図面の簡単な説明】
【図１】  この発明の実施の形態１による電磁伝達装置を示す断面図である。
【図２】  この発明の実施の形態２による電磁伝達装置を示す断面図である。
【図３】  この発明の実施の形態３による電磁伝達装置を示す断面図である。
【図４】  従来の電磁伝達装置を示す断面図である。
【図５】  従来の電磁伝達装置を示す断面図である。
【符号の説明】
１，１３  ヨーク、２  コイル、４，５，１４  ステータ、４ａ，１４ａ  スリット、６  スペーサ、８  アマチュア、１５  ボビン。
【図１】
0003698980.tif 000002
【図２】
0003698980.tif 000003
【図３】
0003698980.tif 000004
【図４】
0003698980.tif 000005
【図５】
0003698980.tif 000006